【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
第２の通信装置において、無線チャネルを介したデータ送信と関連付けられる制御情報をシグナリングする方法であって、
第１の通信装置から、推奨プリコーダの指標と、送信中に使用され得る第１の送信ランクの推奨とを含むフィードバックデータを受信するステップ（Ｓ２）と、
データを送信するために使用すべき第２の送信ランクを決定するステップ（Ｓ４）と、
を含み、
確認メッセージを前記第１の通信装置に送信するステップ（Ｓ６）と、
前記確認メッセージは、使用すべき第２の送信ランクと、前記第２の通信装置からの前記データ送信が、使用される周波数上で各推奨プリコーダの少なくとも一部を使用していることと、を示すことと、
各推奨プリコーダの前記一部は、前記推奨プリコーダの列のサブセットに対応することと、
前記確認メッセージは、前記第２の送信ランクをサポートするために前記推奨プリコーダの列のサブセットのどの列またはいくつの列を使用すべきかをさらに示すことと、
を特徴とする、方法。
【請求項２】
前記各列のサブセットは同数の列を有し、列の数は前記第２の送信ランクに対応する、請求項１に記載の方法。
【請求項３】
前記列のサブセットは、前記推奨プリコーダの同じ列から、または前記推奨プリコーダに対応する生成行列の同じ列から選択される、請求項２に記載の方法。
【請求項４】
前記第２の送信ランクの指標は、どのレイヤをどのコードワードに使用すべきかを表す、請求項１〜３のいずれか一項に記載の方法。
【請求項５】
前記確認メッセージはプリコーディング情報の表を示すポインタを備える、請求項１〜４に記載の方法。
【請求項６】
前記プリコーディング情報の表は、前記送信ランクがコードワードのためのレイヤの数を下回らない限り、前記コードワードを他のコードワードと組み合わせて送信するのに使用されるレイヤと同じレイヤ上で前記コードワードを個別に送信させるメッセージを含む、請求項５に記載の方法。
【請求項７】
前記推奨プリコーダの指標は周波数選択性プリコーディング報告に相当する、請求項１〜６のいずれか一項に記載の方法。
【請求項８】
前記推奨プリコーダの指標はプリコーダ行列指標（ＰＭＩ）を報告することに相当し、第１の送信ランクの指標はランク指標（ＲＩ）を報告することに相当し、第２の送信ランクの指標は送信ランク指標（ＴＲＩ）をシグナリングすることに相当する、請求項１〜７のいずれか一項に記載の方法。
【請求項９】
第２の通信装置（２０）であって、
推奨プリコーダの指標と、データ送信中に使用され得る第１の送信ランクの推奨とを含むフィードバックデータを、第１の通信装置から受信するよう構成された受信装置（２０３）と、
データを送信するために使用すべき第２の送信ランクを決定するように構成された制御ユニット（２０１）と、
を備え、
前記第２の通信装置は、確認メッセージを前記第１の通信装置に送信するよう構成された送信装置（２０５）をさらに備え、
前記確認メッセージは、使用すべき第２の送信ランクと、前記データ送信が、使用される周波数上で各推奨プリコーダの少なくとも一部を使用していることと、を示し、
前記各推奨プリコーダの前記一部は、前記推奨プリコーダの列のサブセットに対応し、
前記確認メッセージは、前記第２の送信ランクをサポートするために前記推奨プリコーダの列のサブセットのどの列またはいくつの列を使用すべきかをさらに示す、
ことを特徴とする、第２の通信装置。
【請求項１０】
第１の通信装置において、無線チャネルを介したデータ送信と関連付けられるシグナリングされた制御情報により、前記第１の通信装置を動作モードに設定する方法であって、
推奨プリコーダと、第２の通信装置からデータを送信するときに使用され得る第１の送信ランクとを決定するステップ（Ｒ２）と、
推奨プリコーダの指標と、送信中に使用すべき第１の送信ランクとを含むフィードバックデータを、第２の通信装置に送信するステップ（Ｒ４）と、
を含み、
前記第２の通信装置から確認メッセージを受信するステップ（Ｒ６）と、
前記確認メッセージは、使用すべき第２の送信ランクと、前記第２の通信装置からのデータ送信が、使用される周波数上で各推奨プリコーダの少なくとも一部を使用していることと、を示すことと、
各推奨プリコーダの前記一部は、前記推奨プリコーダの列のサブセットに対応することと、
前記確認メッセージは、前記第２の送信ランクをサポートするために前記推奨プリコーダの列のサブセットのどの列またはいくつの列を使用すべきかをさらに示すことと、
前記確認されたプリコーダの少なくとも一部と前記第２の送信ランクとを使用して前記第２の通信装置からの前記データ送信を受信及び復号する前記動作モードに、前記第１の通信装置をセットアップするステップ（Ｒ８）と、
を特徴とする、方法。
【請求項１１】
前記各列のサブセットは同数の列を有し、列の数は前記第２の送信ランクに対応する、請求項１０に記載の方法。
【請求項１２】
前記列のサブセットは、前記推奨プリコーダの同じ列から、または前記推奨プリコーダに対応する生成行列の同じ列から選択される、請求項１１に記載の方法。
【請求項１３】
前記第２の送信ランクの指標は、どのレイヤをどのコードワードに使用すべきかを表す、請求項１０〜１２のいずれか一項に記載の方法。
【請求項１４】
前記確認メッセージはプリコーディング情報の表を示すポインタを備える、請求項１０〜１３のいずれか一項に記載の方法。
【請求項１５】
前記プリコーディング情報の表は、前記送信ランクがコードワードのためのレイヤの数を下回らない限り、前記コードワードを他のコードワードと組み合わせて送信するのに使用されるレイヤと同じレイヤ上で前記コードワードを個別に送信させるメッセージを含む、請求１４に記載の方法。
【請求項１６】
前記推奨プリコーダの指標は周波数選択性プリコーディング報告に相当する、請求項１０〜１５のいずれか一項に記載の方法。
【請求項１７】
前記推奨プリコーダの指標はプリコーダ行列指標（ＰＭＩ）を報告することに相当し、第１の送信ランクの指標はランク指標（ＲＩ）を報告することに相当し、第２の送信ランクの指標は送信ランク指標（ＴＲＩ）をシグナリングすることに相当する、請求項１０〜１６のいずれか一項に記載の方法。
【請求項１８】
第１の通信装置（１０）であって、
推奨プリコーダと、第２の通信装置がデータを送信しているときに使用され得る第１の送信ランクとを決定するように構成された制御ユニット（１０１）と、
前記推奨プリコーダの指標と、送信中に使用され得る前記第１の送信ランクとを含むフィードバックデータを、第２の通信装置に送信するよう構成された送信装置（１０５）と、
を備え、
前記第１の通信装置は、前記第２の通信装置から確認メッセージを受信するように構成された受信装置（１０３）をさらに備え、
前記確認メッセージは、使用される第２の送信ランクと、前記第２の通信装置からのデータ送信が、使用される周波数上で各推奨プリコーダの少なくとも一部を使用していることと、を示し、
各推奨プリコーダの前記一部は、前記推奨プリコーダの列のサブセットに対応し、
前記確認メッセージは、前記第２の送信ランクをサポートするために前記推奨プリコーダの列のサブセットのどの列またはいくつの列を使用すべきかをさらに示し、
前記制御ユニット（１０１）は、前記確認された各プリコーダの少なくとも一部と前記第２の送信ランクとを送信中に使用して前記第２の通信装置からのデータを受信する前記動作モードに、前記第１の通信装置をセットアップするようにさらに構成されている、
ことを特徴とする、第１の通信装置。